(57)【要約】【課題】衣服の下に管を配置し、体温による熱気を、効果的に衣服外部に逃がすせる装置を提供することを目的とする。【解決手段】管３は、人の背中、または腰部に下端が位置し、上端がうなじに位置できる長さを有し、通気性と柔軟性を有し、複数が設けられ、上端がクランプ５に保持される。クランプ５はシャツの衿の内側に取付けられる。クランプ５は、クランプ状態において、各管３の上端を保持する円筒状部分１９を形成し、クランプ状態を開閉可能に維持する嵌合手段１３を有する。円筒状部分１９の内周面と管３の上端外周面との一方に形成されるリング状の複数のリブ２１と、他方に形成されリブ２１を受けるリング状のリブ受け凹部２３とで、保持する位置が容易に変更できる。【選択図】図１
2015145540.tif 000002
【特許請求の範囲】
【請求項１】
人の背中、または腰部に下端が位置し、上端が前記人のうなじに位置できる長さを有し、通気性を有し柔軟性を有する複数の管と、これら複数の管の上端を保持するクランプと、このクランプをシャツの衿の内側に取付ける取付手段と、を有し、前記クランプは、前記複数の管の背面側を保持する背面部と、正面側を保持する正面部と、これら背面部と正面部を合わせたクランプ状態を開閉可能に維持するために前記背面部と前記正面部とに設けられる嵌合手段と、前記クランプ状態において前記背面部と前記正面部とにより形成され、各前記管の上端を保持する円筒状部分と、前記円筒状部分の内周面と前記管の上端外周面との一方に形成されるリング状の複数のリブと、他方に形成され前記リブを受けるリング状のリブ受け凹部と、を有して構成されることを特徴とするクールビズタイ装置。
【請求項２】
前記通気性を有する管は、プラスチック製管の側壁に多数の孔が形成することで通気性を生じるもの、または、螺旋状に配置される複数のプラスチック製の紐によって構成されることで通気性を生じるものであり、
前記取付手段は、前記クランプの上縁に形成されて前記衿の上縁に係止するフックであり、または、シャツの衿の内側に沿って配置される襟台と、この襟台の前面に一体に配置される通気性襟台とにより前記クランプを挟み込んで固定するものであり、
前記クランプは、前記背面部と前記正面部が、一端に形成された回動部により互いに回動して開閉動作を行なうものであり、
前記嵌合手段は、前記背面部と前記正面部との一方に設けられ前記回動し開く方向に向かって突出するＬ字型の庇状部分と、この庇状部分の下側に設けられた嵌合爪と、他方に設けられ前記回動し開く方向に向かって突出し、回動し閉じる際に前記嵌合爪を乗り越えて庇状部分との間に嵌合する嵌合部とを有して成り、
前記リブと前記リブ受け凹部は、前記管を長さ方向へ引張ることで受けが外れスライド可能な高さと深さを有することを特徴とする請求項１に記載のクールビズタイ装置。
【発明の詳細な説明】
【技術分野】
【０００１】
この発明は、衣服の下に管を配置し、夏場の体温による熱気を、管を通して衣服外部に逃がして涼を図る装置に関する。
【背景技術】
【０００２】
ＣＯ2削減、省エネ、節電などを強いられる今日、夏場の熱さ対策は重要である。特に、ワイシャツ等を着て仕事をしなければならず、会社や街頭の炎天下で過ごす場合には、重要さは高い。
下記特許文献１、２では、衣服の下に管を配置し、体温による熱気を、管を通して流通させ涼を図る工夫が提案されている。特に、下記特許文献１では、熱気が首もとから外部に逃げることが期待されている。
【先行技術文献】
【特許文献】
【０００３】
【特許文献１】実開平０７−００６２２０
【特許文献２】特開２００６−２８７１８
【発明の概要】
【発明が解決しようとする課題】
【０００４】
しかしながら、上記特許文献１、２では、衣服の下に管を配置し、衣服と身体の密着は避けられるものの、体温による熱気を、効果的に衣服外部に逃がすことは難しい。上記特許文献１でも、熱気は、管の中を上昇し、管の側壁に形成された孔から管の外に出て、上方へ移動しようとはするものの、衣服に阻まれて、首もとから外部に効果的に逃げることは難しい。
【０００５】
この発明は、以上の問題点を解決するために、体温による熱気を、効果的に衣服外部に逃がし、さらに汗が気化熱で体温を下げることができるクールビズタイ装置を提供することを目的とする。
【課題を解決するための手段】
【０００６】
以上の課題を解決するために、第一発明は、人の背中、または腰部に下端が位置し、上端が前記人のうなじに位置できる長さを有し、通気性を有し柔軟性を有する複数の管と、これら複数の管の上端を保持するクランプと、このクランプをシャツの衿の内側に取付ける取付手段と、を有し、前記クランプは、前記複数の管の背面側を保持する背面部と、正面側を保持する正面部と、これら背面部と正面部を合わせたクランプ状態を開閉可能に維持するために前記背面部と前記正面部とに設けられる嵌合手段と、前記クランプ状態において前記背面部と前記正面部とにより形成され、各前記管の上端を保持する円筒状部分と、前記円筒状部分の内周面と前記管の上端外周面との一方に形成されるリング状の複数のリブと、他方に形成され前記リブを受けるリング状のリブ受け凹部と、を有して構成されることを特徴とするクールビズタイ装置である。
【０００７】
第二発明は、さらに、前記通気性を有する管は、プラスチック製管の側壁に多数の孔が形成することで通気性を生じるもの、または、螺旋状に配置される複数のプラスチック製の紐によって構成されることで通気性を生じるものであり、
前記取付手段は、前記クランプの上縁に形成されて前記衿の上縁に係止するフックであり、または、シャツの衿の内側に沿って配置される襟台と、この襟台の前面に一体に配置される通気性襟台とにより前記クランプを挟み込んで固定するものであり、
前記クランプは、前記背面部と前記正面部が、一端に形成された回動部により互いに回動して開閉動作を行なうものであり、
前記嵌合手段は、前記背面部と前記正面部との一方に設けられ前記回動し開く方向に向かって突出するＬ字型の庇状部分と、この庇状部分の下側に設けられた嵌合爪と、他方に設けられ前記回動し開く方向に向かって突出し、回動し閉じる際に前記嵌合爪を乗り越えて庇状部分との間に嵌合する嵌合部とを有して成り、
前記リブと前記リブ受け凹部は、前記管を長さ方向へ引張ることで受けが外れスライド可能な高さと深さを有することを特徴とする請求項１に記載のクールビズタイ装置である。
【発明の効果】
【０００８】
第一、又は第二発明によれば、クランプに保持された複数の管の上端は、シャツの衿の部分で外部と連通するので、管の中を上昇してきた体温による熱気は、衣服に阻まれずに、管の上端から、効果的に衣服外部に逃げることができる。
また、クランプの円筒状部分の内周面と、管の上端外周面とは、一方に形成されるリング状の複数のリブと、他方に形成されリブを受けるリング状のリブ受け凹部とによって、嵌合するので、管の保持は安定しておこなわれる。
そして、クランプのクランプ状態を開閉可能に維持する嵌合手段により、クランプ状態を開き、管の上端の位置を調整できる。あるいは、管を引張って、リブがリブ受け凹部から外れ、次のリブ受け凹部へ嵌合することで、管の上端の位置を調整できる。この調整により、人の首の長さに応じて、管の上端が、首の動きの邪魔にならず、また、うなじの髪の毛に阻まれにくい、最適の位置となるよう調製できる。
【図面の簡単な説明】
【０００９】
【図１】この発明の一実施形態にかかるクールビズタイ装置を示すもので、（Ａ）は装置の管の上端がシャツの衿から出ている状態を示す図、（Ｂ）は装置の一部を省略した全体正面図、（Ｃ）は装置のクランプを示す（Ｂ）のＣ-Ｃ断面図、（Ｄ）は（Ｃ）のクランプの正面図、（Ｄ’）は（Ｄ）のクランプの要部拡大図である。
【図２】図１（Ｄ）のクランプを開いた状態の正面図である。
【図３】図１（Ｄ）のクランプの他の実施形態による詳細図であり、（Ａ）はクランプが閉じた状態の平面図、（ａ１）（ａ２）（ａ３）は各々（Ａ）の要部を示す拡大図、（Ｂ）はクランプが開いた状態の平面図、（ｂ１）（ｂ２）（ｂ３）（ｂ２２）（ｂ３２）は各々（Ｂ）の要部を示す拡大図、（Ｃ）は（Ｂ）の一部の正面図、（Ｄ）は（Ａ）のＤ部の拡大図であり、（ｄｐ）は平面図、（ｄｓ）は側面図、（ｄｂ）は底面図である。
【図４】図３に示す要部の詳細図であり、（ａ２）は図３の（ａ２）に対応する図、（ａ２Ｆ）は（ａ２）の正面図、（ａ２Ｓ）は（ａ２）のＳ−Ｓ縦断面、（ａ２Ｂ）は（ａ２）の底面図である。
【００１０】
（ｂ２）は図３の（ｂ２）に対応する図、
（ｂ２Ｆ）は（ｂ２）の正面図、
（ｂ２Ｓ）は（ｂ２）のＳ−Ｓ縦断面、
（ｂ２Ｂ）は（ｂ２）の底面図である。
【００１１】
（ｂ２２）は図３の（ｂ２２）に対応する図、
（ｂ２２Ｆ）は（ｂ２２）の正面図、
（ｂ２２Ｓ）は（ｂ２２Ｆ）の側面図、
（ｂ２２Ｂ）は（ｂ２２）の底面図である。
【図５】（Ａ）は図３の（ａ２）の斜視図であり一部を持上げて示す図、（Ｂ）は図３の（ｂ２）の斜視図である。
【発明を実施するための形態】
【００１２】
この発明の実施形態にかかる装置を、図１、図２に示す。
図１（Ａ）（Ｂ）に示すように、この装置１の管３は、プラスチック製で、人の背中、または腰部に下端が位置し、上端が背側のうなじ４に位置できる長さを有する。また、通気性を有し柔軟性を有する。この通気性は、管３の側壁に多数の孔２が形成することで生じる。そして複数の管３が、隣接して配置され、帯（タイ）のように見える（図１（Ｂ））。
【００１３】
これら複数の管３は、上端がクランプ５によって保持される。図２に示すように、このクランプ５は、プラスチック製で、複数の管３の背面側を保持する背面部７と、正面側を保持する正面部９とを有する。これら背面部７と正面部９は、回動部１１によって回動可能になっている。回動部１１は、回動を容易にするために、断面がＣ字状になっている（図３参照）。これら背面部７と正面部９とを相互に回動し、閉じて合わせたクランプ状態は、背面部７と正面部９とに設けられる嵌合手段１３で維持される。嵌合手段１３は、背面部７に形成される溝１５と、正面部９に形成されて溝１５に嵌合する突条１７である。溝１５と突条１７は、嵌合と嵌合を外すことが可能であり、クランプ状態を開閉可能に維持できる。
【００１４】
図１（Ｃ）（Ｄ）（Ｄ’）図２に示すように、このクランプ状態において、背面部７と正面部９とにより、複数の円筒状部分１９が形成され、管３の上端を保持する。
管３の上端外周面には、リング状のリブ２１が、管３の長手方向に５ｍｍ間隔で複数形成される。他方、円筒状部分１９の内周面には、リブ２１を受けるリング状のリブ受け凹部２３が形成される。これらにより、管３は、節度感を持って保持される。また、これらリブ２１とリブ受け凹部２３は、管３を長さ方向へ引張ることで、受けが外れ、管３の長さ方向へスライド可能となる、高さと深さを有する。
【００１５】
このクランプ５は、取付手段２５により、シャツの衿２６の内側に取付けられる。図１（Ｂ）（Ｃ）に示すように、この取付手段２５は、襟台２７に、縫付けて取付けるものである。すなわち、シャツの衿２６の内側に沿って襟台２７が配置される。この襟台２７は、両端部に、面ファスナー２９が設けられて、衿２６の寸法に合わせて、略リング状にすることができ、これにより、衿２６の内側におおよそ密着させて配置できる。この襟台２７の前面には、通気性襟台３１が縫いつけにより、ほぼ一体に配置される。これら襟台２７と通気性襟台３１とにより、クランプ５を挟み込んで固定する。クランプ５の近くまで、縫いつけをおこなうことで、しっかりとした固定がおこなえる。
【００１６】
「実施形態の効果」
以上の実施形態によれば、以下の効果を得る。
（１）シャツの中の体温による熱気は、各管３の孔２から管３の中に入り、管３を上昇する。そして、クランプ５に保持された複数の管３の上端は、シャツの衿２６の部分で直接に外部と連通する。衣服に阻まれず、衿２６や皮膚に覆われてしまわない位置にできる。また、管３は曲がりくねったりしておらず、上方へ真っ直ぐに伸びる。このため、管３の中を上昇してきた体温による熱気は、管３の上端から、効果的に衣服外部に逃げることができる。
【００１７】
（２）また、クランプ５の円筒状部分１９の内周面と、管３の上端外周面とは、リブ２１と、のリブ受け凹部２３とによって、嵌合するので、管３の保持は安定しておこなわれる。
（３）そして、管３を引張って、リブ２１がリブ受け凹部２３から外れ、次のリブ受け凹部２３へ嵌合することで、管３の上端の位置を５ｍｍ間隔で調整できる。この調整により、人の首の長さに応じて、管３の上端が、首の動きの邪魔にならず、また、うなじの髪の毛に阻まれにくい、最適の位置となるよう調製できる。
【００１８】
「他の実施形態」
「１」以上の実施形態では、嵌合手段１３は、背面部７に形成される溝１５と、正面部９に形成されて溝１５に嵌合する突条１７であったが、他の実施形態では、図３〜図５に示す第２実施形態のように、嵌合手段１３は、よりしっかりした構造のものでもよい。
【００１９】
すなわち、背面部７にＬ字型の庇状部分３３（図３（Ｂ）ｂ２参照）を設ける。設ける位置は、円筒状部分１９と円筒状部分１９の間である。この庇状部分３３は、正面部９が回動し開く方向に向かって突出する。この庇状部分３３の下側には嵌合爪３５が設けられる。他方、正面部９には嵌合部３７を設ける（図３（Ｂ）ｂ２２参照）。この嵌合部３７は、正面部９が回動し開く方向に向かって突出し、回動し閉じる際に、嵌合爪３５を乗り越えて庇状部分３３との間に嵌合する（図３（Ａ）ａ２参照）。
【００２０】
図３に示すように、これらの庇状部分３３と嵌合部３７との組は、７個が配列して設けられる各円筒状部分１９の間に、合計６組が設けられる。また、背面部７と正面部９が閉じる先端に、１組が設けられる（図３（Ａ）ａ３参照）。この先端の組において、庇状部分３３と嵌合部３７の組は、いわば横向きに設けられ、庇状部分３３の横側に嵌合爪３５が設けられる。このようにして、強固な嵌合がおこなわれる。
【００２１】
「２」以上の実施形態では、取付手段２５は、襟台２７と通気性襟台３１とによりクランプ５を挟み込んで固定するものであったが、他の実施形態では、図３に示す第２実施形態のように、フック２６でもよい。すなわち、フック２６が、クランプ５の上縁に下向きに形成されて、衿２６の上縁に係止する。
【００２２】
「３」以上の実施形態では、管３の通気性は、管３の側壁に形成される孔２によるものであったが、他の実施形態では、管３が螺旋状に配置される複数のプラスチック製の紐によって構成されることで通気性を生じるものでもよい（上記特許文献２参照）。
この場合、リブ２１を形成するために、管３の上部を、別体の円筒状の筒で覆い、この筒にリブ２１を設けるものとすることができる。
「４」以上の実施形態では、クランプ５は、背面部７と正面部９が、一端に形成された回動部１１により互いに回動して開閉動作を行なうものであったが、他の実施形態では、必ずしも回動する必要はなく、背面部７と正面部９が、浅い容器と蓋のように、分離して、嵌合手段により閉じた状態を維持するものでもよい。
【００２３】
「５」以上の実施形態では、背面部７に庇状部分３３が設けられ、正面部９に嵌合部３７を設けるものであったが、他の実施形態では、これらの関係を逆にし、背面部７に嵌合部３７を設け、正面部９に庇状部分３３を設けてもよい。
「６」以上の実施形態では、円筒状部分１９の内周面にリブ２１を形成し、管３の上端外周面にリブ受け凹部２３を形成するものであったが、他の実施形態では、これらの関係を逆にし、円筒状部分１９の内周面にリブ受け凹部２３を形成し、管３の上端外周面にリブ２１を形成するものでもよい。
「７」以上の実施形態では、図１に示すように、孔２は管３の下部にしか形成されていないが、他の実施形態では、管３の長手方向全体で、側壁に多数の孔２が形成するものにできる。
【符号の説明】
【００２４】
１…装置、２…孔、３…管、４…うなじ、５…クランプ、７…背面部、９…正面部、１１…回動部、１３…嵌合手段、１５…溝、１７…突条、１９…円筒状部分、２１…リブ、２３…リブ受け凹部、２５…取付手段、２６…襟、２７…襟台、２９…面ファスナー、３１…通気性襟台、３３…庇状部分、３５…嵌合爪、３７…嵌合部。
【図１】
2015145540.tif 000003
【図２】
2015145540.tif 000004
【図３】
2015145540.tif 000005
【図４】
2015145540.tif 000006
【図５】
2015145540.tif 000007